(57)【要約】【課題】各種音響機器に使用されるスピーカに関し、円形のボイスコイルを用いると分割共振が発生するという課題を解決し、優れた音質の音響再生を行うことができるスピーカを提供することを目的とする。【解決手段】ボイスコイル８を円筒状のボビンにコイルを巻回して形成し、このボビンの振動板７との結合部分を多角形にした構成により、振動板７に伝播される振動速度ならびに振動モードが振動板７の場所によって異なるようになるために分割共振の発生を抑制することができるようになり、これにより平坦な音圧周波数特性を実現して優れた音質の音響再生を行うことができる。【選択図】図１
2006261738.tif 000002
【特許請求の範囲】
【請求項１】
磁気ギャップを有する磁気回路と、この磁気回路を結合したフレームと、このフレームに外周が結合されると共に上記磁気ギャップに嵌まり込むボイスコイルを結合した振動板からなるスピーカにおいて、上記ボイスコイルは円筒状のボビンにコイルを巻回して形成され、このボビンの振動板との結合部分を多角形にしたスピーカ。
【請求項２】
ボイスコイルのボビンの振動板との結合部分を奇数の多角形とした請求項１に記載のスピーカ。
【請求項３】
振動板の外周を円形にした請求項１に記載のスピーカ。
【請求項４】
振動板とボイスコイルのボビンを一体化した請求項１に記載のスピーカ。
【発明の詳細な説明】
【技術分野】
【０００１】
本発明は各種音響機器や情報通信機器に使用されるスピーカに関し、特に、携帯電話等に適した小型で薄型のスピーカに関するものである。
【背景技術】
【０００２】
各種音響機器や情報通信機器の小型化、多機能化に伴ってこれらに使用されるスピーカも従来にも増して小型化が進み、特に携帯電話に使用されるスピーカにおいては小型化のみならず高音質化も要求されており、このような取り組みが盛んに行われている。
【０００３】
図４（ａ）、（ｂ）はこの種の従来のスピーカの構成を示した平面図と正面断面図であり、図４において、２０は磁気回路を示し、この磁気回路２０は壺形のヨーク２１内に円板状のマグネット２２とプレート２３を積層して結合することにより構成され、これにより円環状の磁気ギャップ２４を形成した磁気回路２０が構成されているものである。
【０００４】
２５は上記磁気回路２０が結合されたフレーム、２６は上記磁気回路２０に形成された磁気ギャップ２４に嵌まり込むボイスコイル、２７はこのボイスコイル２６を中心に結合した振動板、２７ａはこの振動板２７の周縁に設けられたエッジであり、このエッジ２７ａの外周が上記フレーム２５に結合されて構成されているものである。２８は振動板２７を保護するように設けられたカバーである。
【０００５】
このように構成された従来のスピーカは、小型・薄型でスリム化を図って携帯電話等に搭載されるようにしたものであった。
【０００６】
なお、この出願の発明に関連する先行技術文献情報としては、例えば、特許文献１が知られている。
【特許文献１】特開２００３−１３４５８５号公報
【発明の開示】
【発明が解決しようとする課題】
【０００７】
しかしながら上記従来のスピーカでは、円環状のボイスコイル２６と振動板２７が同心円で相似形状となるために、振動板２７に伝播される振動速度が振動板２７のどの場所においても一定となり、振動モードが同一となってしまうため、５〜１０ｋＨｚ付近に分割共振が発生して音圧周波数特性が乱れ、音質が劣化してしまうという課題があった。
【０００８】
なお、この課題を解決するために、振動板の外周部の形状を変化させたり、あるいは振動板の一部を部分的に肉厚や密度を変化させるという提案もなされているが、これらは抜本的な解決策にはならないばかりでなく、コストアップの要因になるという課題があった。
【０００９】
本発明はこのような従来の課題を解決し、分割共振の発生を抑制して音圧周波数特性を平坦化し、優れた音質の音響再生を行うことができるスピーカを提供することを目的とするものである。
【課題を解決するための手段】
【００１０】
上記課題を解決するために本発明は、磁気ギャップを有する磁気回路と、この磁気回路を結合したフレームと、このフレームに外周が結合されると共に上記磁気ギャップに嵌まり込むボイスコイルを結合した振動板からなるスピーカにおいて、上記ボイスコイルは円筒状のボビンにコイルを巻回して形成され、このボビンの振動板との結合部分を多角形にした構成のものである。
【発明の効果】
【００１１】
以上のように本発明によるスピーカは、円筒状のボイスコイルのボビンの振動板との結合部分を多角形にしたことにより、振動板に伝播される振動速度ならびに振動モードが振動板の場所によって異なるようになるために分割共振の発生を抑制することができるようになり、これにより平坦な音圧周波数特性を実現して優れた音質の音響再生を行うことができるようになるという効果が得られるものである。
【発明を実施するための最良の形態】
【００１２】
（実施の形態）
以下、実施の形態を用いて、本発明の特に全請求項に記載の発明について説明する。
【００１３】
図１は本発明の一実施の形態によるスピーカの構成を示した断面図、図２（ａ）、（ｂ）は同スピーカに使用されるボイスコイルを示した斜視図と正面図である。
【００１４】
図１、図２において、４は磁気回路を示し、この磁気回路４はヨーク３の内底面にマグネット１とプレート２を積層して結合することにより構成され、これにより磁気ギャップ５を形成した磁気回路４が構成されているものである。
【００１５】
６は上記磁気回路４が結合されたフレーム、７はこのフレーム６に外周が結合された振動板、８はこの振動板７の中心に結合されると共に、上記磁気回路４に形成された磁気ギャップ５内に嵌まり込んだボイスコイルである。
【００１６】
上記ボイスコイル８は、図２にその詳細を示すように、ボビン８ａとコイル８ｂからなり、ボビン８ａはコイル８ｂが巻回される下端部は円筒形に形成され、振動板７と結合される上端部は五角形に形成されているものである。
【００１７】
また、図３（ａ）、（ｂ）は上記ボイスコイル８を振動板７に結合した状態を示した平面図と底面図であり、振動板７は円形に形成され、ボイスコイル８のボビン８ａの上端は五角形に形成されて振動板７の中心に結合されており、このような構成にすることによりボイスコイル８のボビン８ａが奇数角形で構成されているために対称部分が無く、ボイスコイル８から伝播される振動速度が振動板７のどの場所においても一定にはならないため、振動モードも同一にはならないようになる。
【００１８】
従って、分割共振の発生を無くすることができるため、音圧周波数特性の乱れからくる音質の劣化も無くなり、優れた音質の音響再生を行うことができるようになるものである。
【００１９】
また、ボイスコイル８のボビン８ａの上端の振動板７との結合部のみを多角形にし、それ以外は円筒形のままでボイスコイル８を構成することができるため、このボイスコイル８が嵌まり込む磁気回路４の磁気ギャップ５は円環状の構成で良いことから、従来の磁気回路をそのまま使用することができるものである。
【００２０】
また、ボイスコイル８のボビン８ａに設けた多角形の各コーナー部にＲを設けることによって応力集中を抑制し、ボイスコイル８と振動板７の外れを防止することができ、より高性能で高信頼性のスピーカを提供することができるようになるものである。
【００２１】
また、ボイスコイル８のボビン８ａに設ける多角形の角数は、奇数角形にすることによって対称部分が無くなり、より優れた効果を得ることができるものであるが、偶数角形にしても良好な結果が得られるものである。但し、多角形の角数をむやみに多くすると円形に近づいてしまうために効果が低減し、好ましくないものである。
【００２２】
また、ボイスコイル８のボビン８ａと振動板７を一体構造のものにして成型することも可能であり、このようにすることによって寸法精度や強度、ならびにコスト面において、大きな改善効果が期待できるものである。
【００２３】
また、本実施の形態においては円形の振動板を用いた例で説明したが、本発明はこれに限定されるものではなく、矩形、楕円形、トラック形の振動板を用いた場合でも同様の効果が得られるものである。
【産業上の利用可能性】
【００２４】
本発明によるスピーカは、分割共振の発生を抑制して音圧周波数特性を良好にし、優れた音質の音響再生を行うことができるという効果を有し、特に、携帯電話等に適した小型で薄型のスピーカ等として有用である。
【図面の簡単な説明】
【００２５】
【図１】本発明の一実施の形態によるスピーカの構成を示した断面図
【図２】（ａ）同スピーカに使用されるボイスコイルを示した斜視図、（ｂ）同正面図
【図３】（ａ）同ボイスコイルを振動板に結合した状態を示した平面図、（ｂ）同底面図
【図４】（ａ）従来のスピーカの構成を示した平面図、（ｂ）同断面図
【符号の説明】
【００２６】
１  マグネット
２  プレート
３  ヨーク
４  磁気回路
５  磁気ギャップ
６  フレーム
７  振動板
８  ボイスコイル
８ａ  ボビン
８ｂ  コイル
【図１】
2006261738.tif 000003
【図２】
2006261738.tif 000004
【図３】
2006261738.tif 000005
【図４】
2006261738.tif 000006